(57)【要約】【課題】  就寝時のバストの広がりや移動を抑え、バストの形を維持するのに効果的で様々なバストの大きさや体型にも対応できるブラジャーの提供を目的とする。【解決手段】  左右のバスト全体を覆うカップ布と、当該カップ布の裏側に配置したカップ周囲サポート布と、当該カップ布の表側に配置した左右のリフトアップ布とを備え、前記カップ布は中央に上下方向のギャザー部を設けてあり、前記カップ周囲サポート布は左右のそれぞれの乳房部分を切り抜き中央部上下方向のセンター布部とバストのアンダー部に位置する下布部とを有し、前記左右のリフトアップ布は肩に位置する肩布部からバストの脇側の側部及びアンダー部まで延在させた内側湾曲形状に形成し、且つ当該内側湾曲形状部は前記カップ布と重なっているが縫着されていないことを特徴とする。【選択図】  図１
2016121415.tif 000002
【特許請求の範囲】
【請求項１】
左右のバスト全体を覆うカップ布と、当該カップ布の裏側に配置したカップ周囲サポート布と、当該カップ布の表側に配置した左右のリフトアップ布とを備え、
前記カップ布は中央に上下方向のギャザー部を設けてあり、
前記カップ周囲サポート布は左右のそれぞれの乳房部分を切り抜き中央部上下方向のセンター布部とバストのアンダー部に位置する下布部とを有し、
前記左右のリフトアップ布は肩に位置する肩布部からバストの脇側の側部及びアンダー部まで延在させた内側湾曲形状に形成し、且つ当該内側湾曲形状部は前記カップ布と重なっているが縫着されていないことを特徴とするブラジャー。
【請求項２】
ブラジャーの下縁部を縁取りしたアンダー基布を有し、
前記左右のリフトアップ布のアンダー部を相互にクロスさせて、当該アンダー部の下縁部を前記アンダー基布に縫着してあることを特徴とする請求項１記載のブラジャー。
【請求項３】
前記左右のリフトアップ布の肩布部から背中を覆うように配置した背布を有し、
前記背布の下縁部は伸縮性のアンダー紐部を有し、前記アンダー紐部の両端部を前記アンダー基布に縫着してあり、
前記背布の内側に上下方向に伸縮性のある背サポート布を設けてあることを特徴とする請求項１又は２記載のブラジャー。
【発明の詳細な説明】
【技術分野】
【０００１】
本発明は、就寝時やリラックスしたい時に着用するのが好ましいナイト用ブラジャーに関する。
【背景技術】
【０００２】
一般的なブラジャーは、体を起こした状態でバストの形を整えるようにデザイン、設計がなされており、就寝時など仰向けや横向き状態での設計はされていない。
カップ部分を支えるワイヤーやボーン、ホックなどの付属部材が肌に当たり、また締め付けによる不快感等から就寝時にはブラジャーを付けない女性も多い。
しかし、ブラジャーを着用しないと就寝時に横になったり、仰向けになるとバストが広がり型崩れにつながる恐れがある。
そこで例えば、特許文献１には左右のカップ部を前中心線と左右バストの隆起部の仰臥姿勢時の脇側広がりを規定した外輪郭線からなり、トップ部を覆う中央サポート部とこれに連続して脇側に設けたカップ中央部サポート部からなるブラジャーを開示する。
しかし、同公報に開示するブラジャーは前中央サポート布、カップ中央弱サポート布、カップ脇側サポート布及び脇側弱サポート布からなる複雑な構造であるだけでなく、対応できる女性に限りがあり、バストサイズや体型がそれぞれ異なる様々な女性に対応できるものではない。
【先行技術文献】
【特許文献】
【０００３】
【特許文献１】特許第５１１８５２１号公報
【発明の概要】
【発明が解決しようとする課題】
【０００４】
本発明は、就寝時のバストの広がりや移動を抑え、バストの形を維持するのに効果的で様々なバストの大きさや体型にも対応できるブラジャーの提供を目的とする。
【課題を解決するための手段】
【０００５】
本発明に係るブラジャーは、左右のバスト全体を覆うカップ布と、当該カップ布の裏側に配置したカップ周囲サポート布と、当該カップ布の表側に配置した左右のリフトアップ布とを備え、前記カップ布は中央に上下方向のギャザー部を設けてあり、前記カップ周囲サポート布は左右のそれぞれの乳房部分を切り抜き中央部上下方向のセンター布部とバストのアンダー部に位置する下布部とを有し、前記左右のリフトアップ布は肩に位置する肩布部からバストの脇側の側部及びアンダー部まで延在させた内側湾曲形状に形成し、且つ当該内側湾曲形状部は前記カップ布と重なっているが縫着されていないことを特徴とする。
このように中央に上下方向のギャザー部を設けたカップ布により様々なバストのボリュームに対応して、バストをホールドしつつ左右のリフトアップ布の側部とアンダー部にてバストを下及び横から支えることができるのでバストの広がりを抑える。
また、カップ布とリフトアップ布の内側湾曲形状部とは重なりつつ縫着されていないので、様々なバストサイズに対応できる。
さらには、カップ布の裏生地として用いたカップ周囲サポート布は、その伸縮によりバストを中央に引き上げるように作用し、着用感が高まる。
【０００６】
本発明において、ブラジャーの下縁部を縁取りしたアンダー基布を有し、前記左右のリフトアップ布のアンダー部を相互にクロスさせて、当該アンダー部の下縁部を前記アンダー基布に縫着してあってもよい。
このようにすると、バストを下から支える効果が増すとともに、より様々なバストの大きさや体型に対応できる。
【０００７】
本発明において、前記左右のリフトアップ布の肩布部から背中を覆うように配置した背布を有し、前記背布の下縁部は伸縮性のアンダー紐部を有し、前記アンダー紐部の両端部を前記アンダー基布に縫着してあり、前記背布の内側に上下方向に伸縮性のある背サポート布を設けてあってもよい。
このように、背布の裏生地として用いた伸縮性の背サポート布が肩甲骨を引き下げ、優れた姿勢美をつくる。
【発明の効果】
【０００８】
本発明にあってはカップ布によるカップ部分と、それを支えるリフトアップ布を独立させたことにより、左右からバストを支えるとともにアンダーバスト部分までリフトアップ布が延長しているので下からも支え、バストアップする構造になっている。
また、リフトアップ布の内側湾曲部がカップ布と縫着されていないので、それぞれの体型にフィットし様々なバストサイズに対応でき着用感が高まる。
また、カップ布の裏生地に用いたカップ周囲サポート布はバストの周りを囲むように裁断、縫製されているためバストを潰すことなく生地の伸縮性によって就寝時のバストの広がりを防ぐ。
ここでカップ布のカップ上辺部分を高い位置に設定すると、バストの上方向への移動にも対応し寝返りなどの体の動きに対しても常にバストを中央に寄せようと作用し、バストの形を維持するのに効果的である。
【図面の簡単な説明】
【０００９】
【図１】本発明に係るブラジャーの例を示す。
【図２】本発明に係るブラジャーを構成するパーツを示し、（ａ）はカップ周囲サポート布、（ｂ）はカップ布、（ｃ）リフトアップ布を示す。
【図３】本発明に係るブラジャーの背面図を示す。
【図４】（ａ）、（ｂ）は本発明に係るブラジャーの機能説明図を示す。
【図５】本発明に係るブラジャーの背布の機能の説明図を示す。
【発明を実施するための形態】
【００１０】
本発明に係るブラジャーの構成例を以下図面に基づいて説明する。
図１は本発明に係るブラジャー１０の正面図を示し、図２はそのパーツ図である。
ブラジャー１０は左右のカップ部を覆うカップ布２０と、このカップ布２０の表側に二重構造として部分的に重ねた左右のリフトアップ布１１，１２を有し、本実施例は左右のリフトアップ布１１，１２の背面を背布１４にて一体的に形成してある。
また、カップ布の裏生地として伸縮性のあるカップ周囲サポート布３０を部分的に縫着してある。
【００１１】
カップ布２０は、中央部上下方向にギャザー部２１を形成することで左右のカップ部にボリューム感を生じさせるとともに、上縁部２５をカップ部の上部の高い位置に設定してある。
カップ周囲サポート布３０は左右のカップ部（ａ）（乳房部分）を切り抜き裁断してあり、上部の左右方向に延在する上布部３１の中央部から下方に向けて延在したセンター布部３３の下端側に下布部３２を設けてある。
この下布部３２の両側から脇部に位置する脇布部３４，３５に向けてカップアンダー布部３６，３７を延在させてある。
カップ布２０とカップ周囲サポート布３０とは、カップ布２０の下布部３２の下縁部をカップ布２０の下縁部２３に縫着し、上布部３１の左右両端部３１ａと脇布部３４，３５の側縁部をそれぞれカップ布２０の脇縁部２４，側縁部２２に縫着してある。
背布１４と一体になった被るタイプの左右のリフトアップ布１１，１２は、背布１４とつながり幅広の左右の肩布部１１ａ，１２ａからカップの外側の側部１１ｂ，１２ｂを経由してカップのアンダーに位置するアンダー部１１ｃ，１２ｃを内側湾曲形状に形成してある。
また、左右のアンダー部１１ｃ，１２ｃは相互に縫着しない状態でクロスさせ、ブラジャー１０の下端部を縁取りするアンダー基布１３の上縁部１３ａに、このアンダー部１１ｃ，１２ｃの下端部を縫着し、カップ布２０の下端部２３及びカップ周囲サポート布の下布部３２の下縁部は、アンダー基布１３の下端部１３ｂに縫着してある。
カップ布２０の側縁部２２を左右のリフトアップ布１１，１２の側部１１ｅ，１２ｅに縫着してあるが、左右のリフトアップ布１１，１２の内側湾曲部１１ｆ，１２ｆは縫着することなくカップ布２０に重ねてありそれぞれ独立して動く。
左右のリフトアップ布１１，１２の脇の開口部１１ｄ，１２ｄ伸縮性の伸縮紐部１１ｄ，１２ｄを縫着してあり、カップ布２０の脇縁部２４と縫着してある。
【００１２】
本実施例では、図３に示すように背布１４の裏生地として伸縮性のＹ字型の背サポート布４０を、その下縁部４１と脇部４３にて背布１４と縫着してある。
従って、背サポート布４０の側縁部４２及び上縁部４４は縫着されておらず独立して動く。
【００１３】
本発明に係るブラジャー１０は、このような構成にしたことにより次のように機能する。
図４（ａ）に示すようにカップ布２０の上縁部２５をカップ部の上部の高い位置に設定し、中央部に上下方向のギャザー部２１を形成したことにより、上側チェスト位置をｆ１のように中央に引き寄せることでバストを安定させる。
また、カップ布２０とは独立して設けた左右のリフトアップ布１１，１２がｆ２で示すように、バストを下、横から支え引き上げるとともにそれぞれ独立して動くので、様々なバストの大きさや体型に対応できる。
また、図４（ｂ）に示すようにカップ周囲サポート部３０がｆ３に示すようにバスト中央部を引き上げつつ、リフトアップ布がバストの広がりを防ぐのでブラジャーの装着感を維持しつつ、バストの形を保持する。
また、図５に示すように背布１４の裏生地として伸縮性のある背サポート布４０を設けた場合にはｆ４の方向に肩甲骨を引き下げ姿勢美を維持する。
【符号の説明】
【００１４】
１０      ブラジャー
１１      左リフトアップ布
１１ａ    肩布部
１１ｂ    側部
１１ｃ    アンダー部
１１ｄ    伸縮紐部
１２      右リフトアップ布
１２ａ    肩布部
１２ｂ    側部
１２ｃ    アンダー部
１２ｄ    伸縮紐部
１３      アンダー基布
１４      背布
２０      カップ布
３０      カップ周囲サポート布
３１      上布部
３２      下布部
３３      センター布部
３４      脇布部
３５      脇布部
３６      カップアンダー布部
３７      カップアンダー布部
４０      背サポート布
【図１】
2016121415.tif 000003
【図２】
2016121415.tif 000004
【図３】
2016121415.tif 000005
【図４】
2016121415.tif 000006
【図５】
2016121415.tif 000007